(57)【要約】  本発明による光ディスク装置は、初期値設定部、出力レベル設定部、パルス幅設定部を有する記録ストラテジ調整部を具備する。初期値設定部は、基本記録ストラテジとして、レーザ光のパルス幅及び出力レベルの初期値を設定する。出力レベル設定部は、基本記録ストラテジの出力レベルを変化させて出力した複数の第１調整用レーザ光によって、記録ストラテジの出力レベルを調整する。パルス幅設定部は、出力レベル設定部において調整された前記出力レベルに固定し、前記基本ストラテジのパルス幅を変化させて出力した複数の第２調整用レーザ光によって、記録ストラテジのパルス幅を調整する。
2008102600.tif 000002
【特許請求の範囲】
【請求項１】
パルストレイン型の記録ストラテジのレーザ光によって、光情報記録媒体に情報を記録する光ディスク装置において、前記記録ストラテジを調整する方法であって、
（Ａ）記録ストラテジのパルス幅及び出力レベルのそれぞれの初期値を、基本記録ストラテジとして設定するステップと、
（Ｂ）前記基本記録ストラテジの出力レベルを変化させて出力した複数の第１調整用レーザ光によって前記記録ストラテジの出力レベルを調整するステップと、
（Ｃ）前記調整された出力レベルに固定し、前記基本記録ストラテジのパルス幅を変化させて出力した複数の第２調整用レーザ光によって前記記録ストラテジのパルス幅を調整するステップと、
を具備する記録ストラテジ調整方法。
【請求項２】
請求の範囲１に記載の記録条件調整方法において、
前記記録ストラテジは、第１パルスと第２パルスとを有し、
前記（Ａ）ステップは、（ａ１）前記基本記録ストラテジとして、前記第１パルスの第１パルス幅、前記第２パルスの第２パルス幅、前記記録ストラテジの出力レベルのそれぞれの初期値を設定するステップを備え、
前記（Ｂ）ステップは、（ｂ１）前記基本記録ストラテジの出力レベルを変化させて複数の第１調整用レーザ光を出力するステップと、
（ｂ２）前記複数の第１調整用レーザ光によって、前記光情報記録媒体から複数の第１再生信号品質を取得するステップと、
（ｂ３）前記複数の第１再生信号品質のうち、最も良好な再生信号品質に対応する出力レベルを前記記録ストラテジの出力レベルとして設定するステップとを備え、
前記（Ｃ）ステップは、（ｃ１）前記（ｂ３）ステップにおいて設定された出力レベルに固定し、前記第１パルス幅と前記第２パルス幅の比率を前記基本記録ストラテジに設定
された比率に固定しながら、前記第１パルス幅及び前記第２パルス幅を変化させた複数の第２調整用レーザ光を出力するステップと、
（ｃ２）前記複数の第２調整用レーザ光によって、前記光情報記録媒体から複数の第２再生信号品質を取得するステップと、
（ｃ３）前記複数の第２再生信号品質のうち、最も良好な再生信号品質に対応する第１パルス幅と第２パルス幅を、前記記録ストラテジの第１パルス幅と第２パルス幅として設定するステップと、
を備える記録条件調整方法。
【請求項３】
請求の範囲２に記載の記録条件調整方法において、
前記第２パルス幅の初期値及び前記出力レベルの初期値は、前記第１パルス幅の初期値に応じて一意に決まる
記録条件調整方法。
【請求項４】
請求の範囲３に記載の記録条件調整方法において、
前記第１パルスは前記記録ストラテジにおけるトップパルスであり、
前記第２パルスは、前記トップパルスの時間的に後続する他のパルスである
記録条件調整方法。
【請求項５】
請求の範囲２から４いずれか１項に記載の記録条件調整方法において、
前記（ａ１）ステップは、（ａ１１）前記第１パルス幅と前記第２パルス幅との比率が一定の複数の記録ストラテジを用意するステップと、
（ａ１２）前記複数の記録ストラテジに対応する複数の第３調整用レーザ光を出力するステップと、
（ａ１３）前記複数の第３調整用レーザ光によって、光情報記録媒体から複数の第３再生信号品質を取得するステップと、
（ａ１４）前記複数の第３再生信号品質のうち、最も良好な再生信号品質に対応する記録ストラテジを前記基本記録ストラテジとして設定するステップと、
を備える記録条件調整方法。
【請求項６】
請求の範囲３又は４に記載の記録条件調整方法において、
前記（ａ１）ステップは、（ａ１５）前記光情報記録媒体に予め記録された記録ストラテジを取得するステップと、
（ａ１６）前記（ａ１５）ステップにおいて取得した記録ストラテジに設定された第１パルス幅を初期値として、前記基本記録ストラテジを設定するステップと、
を備える記録条件調整方法。
【請求項７】
請求の範囲３から６いずれか１項に記載の記録条件調整方法において、
前記出力レベルの初期値と前記第１パルス幅の初期値とは比例係数が負である比例関係にある
記録条件調整方法。
【請求項８】
請求の範囲２から７いずれか１項に記載の記録条件調整方法において、
（Ｄ）前記（ｃ３）ステップにおいて設定された第１パルス幅と第２パルス幅に固定し、出力レベルを変化させた複数の第４調整用レーザ光を出力するステップと、
（Ｅ）前記複数の第４調整用レーザ光によって、前記光記録媒体から複数の第４再生信号品質を取得するステップと、
（Ｆ）前記複数の第４再生信号品質のうち、最も良好な再生信号品質に対応する出力レベルを前記記録ストラテジの出力レベルとして設定するステップと、
を更に具備する記録条件調整方法。
【請求項９】
請求の範囲１から８いずれか１項に記載の記録条件調整方法において、
前記光情報記録媒体には、前記レーザ光に応じて形成されるマークによって前記情報が記録され、
前記マークのマーク長がｎＴである場合、前記記録ストラテジはｎ−１個のパルス群で構成され、
前記Ｔは、チャネルクロックの周期であり、前記ｎは２以上の自然数である
記録条件調整方法。
【請求項１０】
パルストレイン型の記録ストラテジのレーザ光によって光情報記録媒体に情報を記録する光ディスク装置であって、
基本記録ストラテジとして、記録ストラテジのパルス幅及び出力レベルの初期値を設定する初期値設定部と、
前記基本記録ストラテジの出力レベルを変化させて出力した複数の第１調整用レーザ光によって、前記記録ストラテジの出力レベルを調整する出力レベル設定部と、
前記初期値設定部において設定された出力レベルに固定し、前記基本記録ストラテジのパルス幅を変化させて出力した複数の第２調整用レーザ光によって、前記記録ストラテジの出力レベルを調整するパルス幅設定部と、
を具備する光ディスク装置。
【請求項１１】
請求の範囲１０に記載の光ディスク装置において、
前記記録ストラテジは、第１パルスと第２パルスとを有し、
前記初期値設定部は、前記基本記録ストラテジとして、前記第１パルスの第１パルス幅、前記第２パルスの第２パルス幅、前記記録ストラテジの出力レベルのそれぞれの初期値を設定し、
前記出力レベル設定部は、前記基本記録ストラテジの出力レベルを変化させて複数の第１調整用レーザ光を出力し、前記複数の第１調整用レーザ光によって前記光情報記録媒体から複数の第１再生信号品質を取得し、前記複数の第１再生信号品質のうち、最も良好な再生信号品質に対応する出力レベルを前記記録ストラテジの出力レベルとして設定し、
前記パルス幅設定部は、前記出力レベル設定部において設定された出力レベルに固定し、前記第１パルス幅と前記第２パルス幅の比率を前記基本記録ストラテジに設定された比率に固定しながら、前記第１パルス幅及び前記第２パルス幅を変化させて複数の第２調整用レーザ光を出力し、前記第２調整用レーザ光によって前記光情報記録媒体から複数の第２再生信号品質を取得し、前記複数の第２再生信号品質のうち、最も良好な再生信号品質に対応する第１パルス幅と第２パルス幅を、前記記録ストラテジの第１パルス幅と第２パルス幅として設定する
光ディスク装置。
【請求項１２】
請求の範囲１１に記載の光ディスク装置において、
前記第２パルス幅の初期値及び前記出力レベルの初期値は、前記第１パルス幅の初期値に応じて一意に決まる
光ディスク装置。
【請求項１３】
請求の範囲１２に記載の光ディスク装置において、
前記第１パルスは前記記録ストラテジにおけるトップパルスであり、
前記第２パルスは、前記トップパルスの時間的に後続する他のパルスである
光ディスク装置。
【請求項１４】
請求の範囲１１から１３いずれか１項に記載の光ディスク装置において、
前記初期値設定部は、前記第１パルス幅と前記第２パルス幅との比率が一定の複数の記録ストラテジに対応する複数の第３調整用レーザ光によって、光情報記録媒体から複数の第３再生信号品質を取得し、前記複数の第３再生信号品質のうち、最も良好な再生信号品質に対応する記録ストラテジを前記基本記録ストラテジとして設定する
光ディスク装置。
【請求項１５】
請求の範囲１２又は１３に記載の光ディスク装置において、
前記初期値設定部は、前記光情報記録媒体に予め記録された記録ストラテジに設定された第１パルス幅を初期値として、前記基本記録ストラテジを設定する
光ディスク装置。
【請求項１６】
請求の範囲１２から１３いずれか１項に記載の光ディスク装置において、
前記出力レベルの初期値と前記第１パルス幅の初期値とは比例係数が負である比例関係にある
光ディスク装置。
【請求項１７】
請求の範囲１２から１６いずれか１項に記載の光ディスク装置において、
前記出力レベル設定部は、前記パルス幅設定部において設定された第１パルス幅と第２パルス幅に固定し、出力レベルを変化させた複数の第４調整用レーザ光を出力し、前記複数の第４調整用レーザ光によって、前記光記録媒体から複数の第４再生信号品質を取得し、前記複数の第４再生信号品質のうち、最も良好な再生信号品質に対応する出力レベルを前記記録ストラテジの出力レベルとして設定する
光ディスク装置。
【請求項１８】
請求の範囲１０から１７いずれか１項に記載の光ディスク装置において、
前記光情報記録媒体には、前記レーザ光に応じて形成されるマークによって前記情報が記録され、
前記マークのマーク長がｎＴである場合、前記記録ストラテジはｎ−１個のパルス群で構成され、
前記Ｔは、チャネルクロックの周期であり、前記ｎは２以上の自然数である
光ディスク装置。
【発明の詳細な説明】
【技術分野】
【０００１】
本発明は、光情報記録媒体に対する記録条件調整方法、及びこれを用いた光ディスク装置に関し、特に、高密度光情報記録媒体に対応する記録条件調整方法、及び光ディスク装置に関する。尚、本出願は、日本出願番号２００７−３７５９０に基づく優先権を主張するものであり、日本出願番号２００７−３７５９０における開示内容は引用により本出願に組み込まれる。
【背景技術】
【０００２】
現在、光ディスク（光情報記録媒体）を用いて情報を記録又は再生する光ディスク装置は、光ディスクの記録面で変調を受けて反射したレーザ光から読み出し信号を検出し、各種情報を取得している。再生専用型の光ディスクでは、記録面に予め形成された凹凸ピット（プリピット）で反射する反射光量の変化を利用して読み出し信号が取り出される。又、追記型の光ディスクでは、高パワーのレーザ照射によって形成された微小ピット又は記録マークの状態変化に起因した反射光量の変化を利用して読出し信号が取り出される。又、書き換え型の一つである相変化光ディスクでは、記録マークの相変化に起因した反射光量の変化を利用して読出し信号が取り出される。追記型及び書き換え型を総称して記録型と呼称することがある。【０００３】
このような光ディスク装置において、記録または再生時の性能を左右する要因として記録マークを形成する光ビームの制御が挙げられる。光ビームの制御は一般に、記録パワ、バイアスパワなどの出力レベルと、記録用のレーザ光のパルス幅（時間方向）の制御により成り立つ。通常、記録用レーザ光の波形を記録ストラテジと呼ぶが、以下では、記録用レーザ光の波形を決める記録用レーザ光の出力レベルとパルス幅を記録ストラテジと呼ぶ。【０００４】
記録ストラテジにはいろいろな種類があり、記録するメディアによって、出力レベルやパルス形状は異なる場合がある。光ディスクへの記録性能向上のため、マルチパルス変調によって形成されるパルストレイン型の記録ストラテジが有効である。図１にパルストレイン型の記録ストラテジの例を示す。パルストレイン型の記録ストラテジは、２Ｔ信号の場合トップパルスのみ、３Ｔ信号の場合トップパルスとラストパルス、４Ｔ信号以上の場合、トップパルス、ミドルパルス、及びラストパルスで構成される（Ｔ：チャネルクロック周期）。これにより、記録マークに生じる熱分布を制御することができる。図１（ａ）、（ｂ）は、追記型光記録媒体（例えばＤＶＤ−Ｒに採用される記録ストラテジの例を示す図である。図１（ａ）に示す記録ストラテジは、記録パワＰｗとバイアスパワＰｂで制御される。図１（ｂ）に示す記録ストラテジは、トップパルス、ミドルパルス、ラストパルスのそれぞれが異なる記録パワＰｗ１、Ｐｗ２、Ｐｗ３で制御される。図１（ｃ）は、書き換え可能型光記録媒体（例えばＤＶＤ−ＲＷ）に採用される記録ストラテジの一例を示す図である。図１（ｃ）に示す記録ストラテジは、オーバライトが可能なように、記録パワＰｗとバイアスパワＰｂと消去パワの３値の出力レベルで制御される（マルチパルス型）。又、この記録ストラテジは、記録時の冷却効果を高めるため、ラストパルスの後にクーリングパルスを有している。ここで、記録マークを形成しないスペースでの出力レベルは、追記型光記録媒体ではバイアスパワ、書き換え可能型光記録媒体では以前存在した記録マークを消去する作用があるので消去パワと呼ばれる。【０００５】
近年出荷され始めた次世代ＤＶＤであるＨＤ  ＤＶＤ（Ｈｉｇｈ  Ｄｅｆｉｎｉｔｉｏｎ  ＤＶＤ）の場合、追記型のＨＤ  ＤＶＤ−Ｒも書き換え可能型のＨＤ  ＤＶＤ−ＲＷ、又はＨＤ  ＤＶＤ−ＲＡＭも図１（ｃ）に示すようなマルチパルス型の記録ストラテジを使用している。【０００６】
記録ストラテジは光ディスクの記録再生性能に大きく影響するため、記録ストラテジ（出力レベルやパルス幅）を調整することは重要である。記録ストラテジの調整方法の従来技術として、特開２０００−１８２２４４号公報や特開２０００−３０２５４号公報等に示された方法がある。特開２０００−１８２２４４号公報に記載の技術は、記録パワや記録ストラテジのパラメータにいくつかの水準を割り当て、各組合せで網羅的に実験を行ない、最適なものを選択するというものである。特開２０００−３０２５４号公報に記載の技術は、記録ストラテジにおける各パラメータの調整と記録パワの調整を別々に行ない、記録パワに関しては理論的なマーク長を指針として決定するというものである。【０００７】
又、特開２００１−１５５３４０号公報には、ＣＡＶ（Ｃｏｎｓｔａｎｔ  Ａｎｇｕｌａｒ  Ｖｅｌｏｃｉｔｙ）記録  、ＺＣＡＶ（Ｚｏｎｅ  Ｃｏｎｓｔａｎｔ  Ａｎｇｕｌａｒ  Ｖｅｌｏｃｉｔｙ  ）記録、もしくは任意の速度のＣＬＶ（Ｃｏｎｓｔａｎｔ  Ｌｉｎｅｒ  Ｖｅｌｏｃｉｔｙ）記録に適用可能で、簡単な制御方法で記録を行なう技術が記載されている。この技術は、記録線速度が可変である光記録媒体にマルチパルス方式により記録マークを形成する際、設定可能な最高線速度で最適化された発光パターン及びパルス長設定を基本として、記録マークを形成するためのパルス列に対し、パルスの種類ごとに記録パワを割り当てる。このように割り当てた２つ以上の異なる記録パワによって記録マークを形成するパルス列が生成されるようにする。そして各記録パワを記録線速度又は光記録媒体の記録位置に応じて制御するものである。【０００８】
又、特開２００３−２０３３４３号公報にはＣＤ−Ｒ、ＤＶＤ−Ｒの記録ストラテジ調整法が、特開２００５−２１６３４７号公報には、ＤＶＤ−Ｒの記録ストラテジ調整法が記載されている。又、特開２００４−２２００７号公報には、記録マークの時間長さがｎＴ（ｎは２以上の自然数、Ｔはチャネルクロック周期）のＤＶＤ−ＲＷに対する記録条件の調整方法が記載されている。更に、再生信号品質に応じてパルストレイン型の記録ストラテジにおけるパルス幅や出力レベルを調整する技術が特開２００５−３８４７３号公報に記載されている。【０００９】
次世代ＤＶＤであるＨＤ  ＤＶＤやブルーレイディスクの記録密度は、従来のＤＶＤに比べ非常に高く（３倍以上）、信号の読み出しにＰＲＭＬ（Ｐａｒｔｉａｌ  Ｒｅｓｐｏｎｓｅ  Ｍａｘｉｍｕｍ  Ｌｉｋｅｌｉｈｏｏｄ）技術を使用している。ＰＲＭＬ技術は記録信号間の干渉を予め見積もり、確からしいと思われる信号パターンを予測しデコードするものである。ＰＲＭＬ技術に関する技術は、例えば、Ｍ．Ｎａｋａｎｏ  ｅｔ  ａｌ．，  Ｔｅｃｈｎｉｃａｌ  Ｄｉｇｅｓｔｓ  ｏｆ  ＯＤＳ  ２００１  （２００１）  ｐ．１４５に記載されている。【００１０】
ＨＤ  ＤＶＤではＰＲ（１，２，２，２，１）という非常に干渉の大きなクラスのＰＲＭＬを使っている。これは、隣接する記録マークのエッジの状態が再生信号に大きく影響してくることを意味する。又、記録ストラテジの調整が非常に困難な調整になることを意味する。【００１１】
ＰＲＭＬ検出をする場合、再生波形の信号品質（再生信号品質）を評価するための指標がいくつかある。そのひとつがＰＲＳＮＲ（Ｐａｒｔｉａｌ  Ｒｅｓｐｏｎｓｅ  Ｓｉｇｎａｌ  ｔｏ  Ｎｏｉｓｅ  ｒａｔｉｏ）である。これは従来のＤＶＤの再生波形の信号品質の評価に使われていたジッタに変わる指標である。【００１２】
ＰＲＳＮＲとは、ＰＲＭＬシステムのＳＮＲ（Ｓｉｇｎａｌ  ｔｏ  Ｎｏｉｓｅ  ｒａｔｉｏ）を表す指標である。これは、ＲＦ信号とビタビ復号結果から得られる理想波形との違いと、パス間のユークリッド距離との比をとったものである。【００１３】
ここでは、ユークリッド距離が短くシステムのネックとなっているパスに関して、以下の式（１）によって計算が行われ、ネックとなるパスが複数個ある場合は、各パス間に対して式（１）によって個別に計算される。このとき、式（１）による計算結果が最も小さいパスの値が、そのＰＲＭＬシステムのＰＲＳＮＲとして規定される。
2008102600.tif 000003
ここでＥ［  ］は期待値を表している。期待値とは各時刻で式（２）を計算した場合に、期待される値であり、平均値と考えても良い。
2008102600.tif 000004
【００１４】
ＰＲ（１，２，２，２，１）用のＰＲＳＮＲでは、εとして、ε１＝（１，２，２，２，１）、ε２＝（１，２，１，０、−１、−２、−１）、ε３＝（１，２，１，０，０，０，１，２，１）の３種類を選択し、それぞれのベクトルεに対して、式（１）が計算される。ここで得られた３通りの計算結果のうち、最小の値がＰＲＳＮＲ値として使用される。ＰＲＳＮＲは値が高ければ高いほど、信号品質が優れていることを意味し、ジッタやエラーレートとは逆である。詳細は、Ｓ．ＯＨＫＵＢＯ  ｅｔ  ａｌ．，  “Ｓｉｇｎａｌ−ｔｏ−Ｎｏｉｓｅ  Ｒａｔｉｏ  ｉｎ  ａ  ＰＲＭＬ  Ｄｅｔｅｃｔｉｏｎ”  Ｊａｐａｎｅｓｅ  Ｊｏｕｒｎａｌ  ｏｆ  Ａｐｐｌｉｅｄ  Ｐｈｙｓｉｃｓ  ２００４，  Ｖｏｌ．４３，  Ｎｏ．７Ｂ，  ｐ．４８５９−ｐ．４８６２に記載されている。【００１５】
ＨＤ  ＤＶＤやブルーレイディスクのような高密度の光ディスクではジッタ値を評価指標とすることが困難である。例えば、ＨＤ  ＤＶＤは、対物レンズのＮＡ（開口数）が０．６５、レーザ光の波長が４０５ｎｍの光ヘッドによって再生される。この場合、長マーク振幅と短マーク振幅との比で定義される分解能は−３０ｄＢ以下と極端に小さくなる。このため、従来技術のようにスライサ方式で２値化したのでは、最小マーク（又はスペース）を形成する２Ｔ信号は当然ながら、３Ｔ信号も分離するのは難しい。従って、ＨＤ  ＤＶＤやブルーレイディスクを用いた光ディスク装置は、ＰＲＳＮＲを性能評価指標として採用している。【００１６】
このため、ＨＤ  ＤＶＤやブルーレイディスクのような高密度光記録媒体を用いた光ディスク装置において、記録ストラテジを調整する場合、従来のＤＶＤでは使用していないＰＲＭＬに適した技術が必要である。特開２０００−１８２２４４号公報に記載の方法では、荒い精度で、かつ各パラメータが独立に信号品質に影響すると仮定して記録ストラテジを調整している。しかし、高密度光記録媒体の場合、記録マークが小さいため、記録ストラテジのあるパラメータ（例えば出力レベル）によって調整された信号品質の変化が、他のパラメータ（例えばパルス幅）による信号品質の調整に影響する。このため、特開２０００−１８２２４４号公報に記載の方法では、最適な記録ストラテジを得ることは難しい。又、ＨＤ  ＤＶＤやブルーレイディスクの場合、従来のＤＶＤに比べ記録マーク間の距離が短いため、隣り合う記録マークのエッジは相互に影響を与える。このため、理論的なマーク長を指針に記録パワを調整する特開２０００−３０２５４号公報に記載の方法では、最適な記録ストラテジを得ることは難しい。【００１７】
又、特開２００１−１５５３４０号公報に記載の技術では、ＰＲＭＬ検出ではなくレベルスライス検出（２値検出）によって記録ストラテジ調整が行われている。このような技術は、ＰＲＭＬを使用した系に応用することはできない。同様に、特開２００３−２０３３４３号公報及び特開２００５−２１６３４７号公報に記載の技術は、ＰＲＭＬ検出を想定していない調整方法であり、旧来のジッタを用いたものである。【００１８】
このような状況のため、ＨＤ  ＤＶＤやブルーレイディスクのように高密度でかつＰＲＭＬを使用した系における記録ストラテジの調整方法や記録ストラテジパラメータの調整順序を明確にすることが求められている。
【発明の開示】
【００１９】
本発明の目的は、高密度の光情報記録媒体に対して情報を記録するためのレーザ光の記録ストラテジを最適に調整する記録条件調整方法及び光ディスク装置を提供することである。
【００２０】
本発明の他の目的は、信号の読み出しにＰＲＭＬ技術を用いた光ディスク装置において、情報を記録するためのレーザ光の記録ストラテジを最適に調整する記録条件調整方法を提供することである。
【００２１】
本発明の更に他の目的は、光情報記録媒体に情報を記録するための記録ストラテジの調整時間を短縮する記録条件調整方法及び光ディスク装置を提供することである。
【００２２】
本発明による光ディスク装置は、パルストレイン型の記録ストラテジのレーザ光によって光情報記録媒体に情報を記録する情報記録再生装置である。本発明による光ディスク装置は、初期値設定部、出力レベル設定部、パルス幅設定部を有する記録ストラテジ調整部を具備する。初期値設定部は、基本記録ストラテジとして、記録ストラテジのパルス幅及び出力レベルの初期値を設定する。又、出力レベル設定部は、基本記録ストラテジの出力レベルを変化させて出力した複数の第１調整用レーザ光によって、記録ストラテジの出力レベルを調整する。又、パルス幅設定部は、初期値設定部において設定された出力レベルに固定し、基本記録ストラテジのパルス幅を変化させて出力した複数の第２調整用レーザ光によって、記録ストラテジの出力レベルを調整する。このように、本発明による光ディスク装置は、設定した基本記録ストラテジを用いて先ず出力レベルを調整し、次にパルス幅を調整することで、再生信号品質が良好となる記録ストラテジを設定することができる。
【００２３】
又、本発明に係る記録ストラテジは、第１パルスと第２パルスとを有することが好適である。この場合、初期値設定部は、基本記録ストラテジとして、第１パルスの第１パルス幅、第２パルスの第２パルス幅、レーザ光の出力レベルのそれぞれの初期値を設定する。出力レベル設定部は、基本記録ストラテジの出力レベルを変化させて複数の第１調整用レーザ光を出力し、複数の第１調整用レーザ光によって光情報記録媒体から複数の第１再生信号品質を取得する。又、出力レベル設定部は、複数の第１再生信号品質のうち、最も良好な再生信号品質に対応する出力レベルを記録ストラテジの出力レベルとして設定する。次にパルス幅設定部は、出力レベル設定部において設定された出力レベルに固定し、第１パルス幅と第２パルス幅の比率を基本記録ストラテジに設定された比率に固定しながら、第１パルス幅及び第２パルス幅を変化させて複数の第２調整用レーザ光を出力する。パルス幅設定部は、第２調整用レーザ光によって光情報記録媒体から複数の第２再生信号品質を取得し、複数の第２再生信号品質のうち、最も良好な再生信号品質に対応する第１パルス幅と第２パルス幅を、記録ストラテジの第１パルス幅と第２パルス幅として設定する。このように、パルス幅の比率を固定した基本記録ストラテジを利用して記録条件を調整することで、短時間で精度の高い調整が可能となる。
【００２４】
本発明に係る第２パルス幅の初期値及び出力レベルの初期値は、第１パルス幅の初期値に応じて一意に決まる値であることが好ましい。この場合、設定するパラメータの数が少なくなり、最適な記録条件の絞込みが単純化する。
【００２５】
本発明に係る第１パルスは記録ストラテジにおけるトップパルスであり、第２パルスは、トップパルスの時間的に後続する他のパルスであることが好ましい。
【００２６】
第１及び第２の態様に係る初期値設定部は、第１パルス幅と第２パルス幅との比率が一定の複数の記録ストラテジに対応する複数の第３調整用レーザ光によって、光情報記録媒体から複数の第３再生信号品質を取得し、複数の第３再生信号品質のうち、最も良好な再生信号品質に対応する記録ストラテジを基本記録ストラテジとして設定する。
【００２７】
第３の態様に係る初期値設定部は、光情報記録媒体に予め記録された記録ストラテジに設定された第１パルス幅を初期値として、基本記録ストラテジを設定する。
【００２８】
出力レベルの初期値と第１パルス幅の初期値とは比例係数が負である比例関係にあることが好ましい。
【００２９】
第１の態様に係る出力レベル設定部は、パルス幅設定部において設定された第１パルス幅と第２パルス幅に固定し、出力レベルを変化させた複数の第４調整用レーザ光を出力する。又、出力レベル設定部は、複数の第４調整用レーザ光によって、光記録媒体から複数の第４再生信号品質を取得し、複数の第４再生信号品質のうち、最も良好な再生信号品質に対応する出力レベルを記録ストラテジの出力レベルとして設定することが好ましい。
【００３０】
光情報記録媒体には、レーザ光に応じて形成されるマークによって情報が記録される。このマークのマーク長がｎＴ（Ｔはチャネルクロックの周期、ｎは２以上の自然数）である場合、記録ストラテジはｎ−１個のパルス群で構成されることが好ましい。
【００３１】
以上のように、本発明による記録条件調整方法及び光ディスク装置によれば、高密度の光情報記録媒体に対して情報を記録するためのレーザ光の記録ストラテジを最適に調整できる。
【００３２】
又、信号の読み出しにＰＲＭＬ技術を用いた光ディスク装置において、情報を記録するためのレーザ光の記録ストラテジを最適に調整できる。
【００３３】
更に、光情報記録媒体に情報を記録するための記録ストラテジの調整時間を短縮することができる。
【図面の簡単な説明】
【００３４】
上記発明の目的、効果、特徴は、添付される図面と連携して実施の形態の記述から、より明らかになる。
【図１】図１は、光情報記録媒体に情報を記録するためのレーザ光の記録ストラテジを示す図である。
【図２】図２は、本発明による光ディスク装置の実施の形態における構成を示すブロック図である。
【図３】図３は、本発明に係る記録ストラテジ調整器の実施の形態における構成を示す図である。
【図４】図４は、本発明に係るＲＦ回路の実施の形態における構成を示すブロック図である。
【図５】図５は、本発明による記録条件調整処理の実施の形態に動作を示すフロー図である。
【図６】図６は、光情報記録媒体に対して最適な記録ストラテジにおけるトップパルス幅と出力レベルとの関係の例を示す特性図である。
【図７】図７は、基本記録ストラテジを設定するために用意される記録ストラテジの一例を示す図である。
【図８】図８は、基本記録ストラテジを設定するために用意された記録ストラテジに対応するＰＲＳＮＲを示す図である。
【図９】図９は、出力レベル調整に利用される記録パワとＰＲＳＢＲとの対応を示す特性図である。
【図１０】図１０は、出力レベル調整に利用されるバイアスパワとＰＲＳＢＲとの関係を示す特性図である。
【図１１】図１１は、パルス幅調整に利用されるトップパルス幅とＰＲＳＢＲとの関係を示す特性図である。
【図１２】図１２は、最適な記録ストラテジの理想値と、本発明によって調整された記録ストラテジとの比較を示す図である。
【図１３】図１３は、出力レベル調整とパルス幅調整の実行順を変化させた場合の、トップパルス幅とＰＲＳＮＲとの関係を示す特性図である。
【図１４】図１４は、本発明による記録条件調整処理の実施の形態に動作を示すフロー図である。
【図１５】図１５は、本発明によって得られた記録ストラテジ調整結果を示す図である。
【図１６】図１６は、本発明による記録条件調整処理の第２の実施の形態において用意される基本記録ストラテジを示す図である。
【発明を実施するための最良の形態】
【００３５】
以下、添付図面を参照して、本発明による光ディスク装置の実施の形態が説明される。図面において同一、又は類似の参照符号は、同一、類似、又は等化な構成要素を示している。以下では、ＰＲＭＬ技術を用いた光ディスク装置を一例に実施の形態を説明する。【００３６】
１．第１の実施の形態
（光ディスク装置の構成）
図２は、本発明による光ディスク装置の第１の実施の形態における構成を示すブロック図である。図２を参照して、本発明による光ディスク装置は、図１（ａ）に示されるような記録ストラテジのレーザ光によって光ディスク１０に情報を記録又は再生する情報記録再生装置である。本発明による光ディスク装置は、スピンドル駆動系９、光ヘッド部２０、ＲＦ回路３０、記録ストラテジ調整器３、復調器４、システムコントローラ５、変調器６、ＬＤ駆動部７、サーボコントローラ８を具備する。【００３７】
スピンドル駆動系９は、光ディスク１０を駆動する。光ヘッド部２０は、レーザダイオード（ＬＤ）２６、ビームスプリッタ２５、対物レンズ２８、光検出器２２を備え、光ディスク１０にレーザ光を照射し、その反射光を検出する。レーザダイオード（ＬＤ）２６から射出されたレーザ光は、ビームスプリッタ２５により反射され、対物レンズ２８を介して光ディスク１０に照射される。光ディスク１０で反射された反射光は、対物レンズ２８で集光され、ビームスプリッタ２５を通過して光検出器２２で検出される。光検出器２２で検出された入力信号は、ＲＦ回路３０に出力される。【００３８】
ＲＦ回路３０は、入力信号にフィルタリング等の処理を行い、データ列信号を復調器４に出力する。また、ＲＦ回路３０は、ＰＲＳＮＲを算出して記録ストラテジ調整器３に出力する。記録ストラテジ調整器３は、ＲＦ回路部３０から入力されるＰＲＳＮＲに基づいて、記録ストラテジの調整と再生信号性能の判定を行い、最適な記録ストラテジを設定する。又、記録ストラテジ調整器３は設定した記録ストラテジをＬＤ駆動部７に指定する。本実施の形態では、記録ストラテジ調整記３は、システムコントローラ５とは別に設けらているが、システムコントローラの内部に内蔵されていても構わない。【００３９】
復調器４は、ＲＦ回路部３０から出力されるデータ列信号を復調し、システムコントローラ５に出力する。変調器６は、システムコントローラ５から供給される記録すべき信号（記録情報）を変調し、ＬＤ駆動部７に出力する。ＬＤ駆動部７は、変調器６から入力される変調された記録情報と、指定された記録ストラテジとに基づいてダイオード２６を駆動し、光ディスク１０にレーザ光を照射する。サーボコントローラ８は、光ヘッド部２０を制御するサーボ信号をコントロールする。ここには、チルト補正機構、収差制御機構も含まれる。【００４０】
システムコントローラ５は、情報記録再生装置全体を統括する。システムコントローラ５は、復調器４から復調データを取り込み、変調器６に記録すべき情報（記録情報）を出力する。又、システムコントローラ５は、記録ストラテジ調整器３において設定された記録ストラテジを保持する。【００４１】
本実施の形態では、一例として、光ヘッド部２０のＬＤ波長は４０５ｎｍ、ＮＡ（開口数）は０．６５、光ディスク１０は、１度だけ記録が可能な追記型のＨＤ  ＤＶＤ−Ｒであるものとして説明する。これらのＨＤ  ＤＶＤ−Ｒは記録を行うと反射率が低くなるタイプの媒体で、Ｈｉｇｈ  ｔｏ  Ｌｏｗメディアと呼ばれる種類の光ディスクである。光ディスク１０の記録膜には無機系の材料が使用されている。例えば、光ディスク１０の物理構造は、厚さが０．６ｍｍ、直径が１２ｃｍである円板状の透明なポリカーボネイト基板に、プリグルーブと呼ばれる案内溝が形成されている。又、この基板上には、記録用の膜を成膜されている。情報の記録及び再生時には、光ディスク装置のレーザ光が基板上の案内溝に沿って走査される。更に、光ディスク１０の物理フォーマットは、ビットピッチが０．１５μｍ、トラックピッチが０．４０μｍのイングルーブ・フォーマットである。【００４２】
以上のような構成により、本発明による光ディスク装置は、図１（ａ）に示される記録ストラテジのレーザ光を光ディスク１０に照射する。このレーザ光は、変調器６から出力された記録情報に基づいて出力される。光ディスク装置は、記録マークからの反射光に基づき、記録情報を再生し、再生信号品質としてＰＲＳＮＲを算出する。以下では、記録ストラテジのレーザ光による記録マークの形成（試し記録）から、再生用レーザ光によるＰＲＳＮＲの算出までを試し記録再生と称す。【００４３】
記録ストラテジ調整器３はＲＦ回路３０から送られてくるＰＲＳＮＲによって、記録条件と再生信号品質との対応を認識し、一連の調整シーケンスをコントロールして、最適な記録ストラテジの調整を行う。図１（ａ）を参照して、記録ストラテジ調整器３が調整する記録ストラテジは、光ディスク１０に出射されるレーザ光の出力レベル（記録パワＰｗ、バイアスパワＰｂ）、及びパルス幅（トップパルス幅Ｔｔｏｐ、ミドルパルス幅Ｔｍｐ、ラストパルス幅Ｔｌｐ）である。【００４４】
記録ストラテジ調整器３は、図３に示されるような機能によって記録ストラテジを調整する。記録ストラテジ調整器が備える機能は、調整の基本となる記録ストラテジの初期値（基本記録ストラテジ）を設定する初期値設定部３１と、記録ストラテジにおける出力レベルを設定する出力レベル設定部３２と、記録ストラテジにおけるパルス幅を設定するパルス幅設定部３３とを具備する。記録ストラテジ調整器３は、このような機能によってＰＮＳＮＲを再生信号品質として利用し、記録ストラテジの調整を行う。尚、記録ストラテジ調整器３は、復調器によって復調されたデータ列から得られるＰＩエラー（Ｉｎｎｅｒ−ｃｏｄｅ−Ｐａｒｉｔｙ  ｅｒｒｏｒ）を再生信号品質として利用し、記録ストラテジの調整を行っても良い（図示なし）。【００４５】
図４は、本発明に係るＲＦ回路３０の構成を示すブロック図である。ＲＦ回路３０は、プリフィルタ３０１、ＡＧＣ（Ａｕｔｏｍａｔｉｃ  Ｇａｉｎ  Ｃｏｎｔｒｏｌｅｒ）３０２、ＡＤＣ（Ａ−Ｄ  Ｃｏｎｖｅｒｔｅｒ）３０３、ＰＬＬ（Ｐｈａｓｅ  Ｌｏｃｋｅｄ  Ｌｏｏｐ）３０４、適応等化器３０５、ビタビ検出器３０６、信号比較器３０７を具備する。【００４６】
プリフィルタ３０１は、光検出器２２で検出されたＲＦ信号をフィルタリングする。フィルタリングされたＲＦ信号は、ＡＧＣ３０２により振幅補正され、ＡＤＣ３０２において、例えば８ビット量子化され多値のデジタル情報に変換される。量子化されたデジタル信号からＰＬＬ３０４によってチャネルクロック信号が抽出される。適応等化器３０５は、ビタビ検出器３０６からの情報に基づいたタップ係数によって制御され、チャネルクロック信号に基づいて所定の周波数特性を適応的に調整する。ビタビ検出器３０６は、適応等化器３０５からの等化信号に対しビタビ復号を行う。本実施の形態におけるビタビ復号器３６は、例えばＰＲ（１，２，２，２，１）用のビタビ復号を行う。信号比較器３０７は、等化信号とビタビ復号後のデータ信号列とに基づきＰＲＳＮＲを算出する。ＰＲＳＮＲの計算時に必要な各時刻のノイズは、ビタビ複合後のデータ列信号と（１，２，２，２，１）ベクトルの畳み込み積分により求められる理想信号波形と適応等化後の信号（実際信号波形）の差として算出される。【００４７】
（記録ストラテジ調整処理）
図４から図１３を参照して、本発明による光ディスク装置における記録ストラテジ調整処理の第１の実施の形態における動作の詳細を説明する。図５を参照して、第１の実施の形態における記録ストラテジ調整器３は、基本記録ストラテジの設定（ステップＳ１）、出力レベル調整（ステップＳ２〜Ｓ６）、パルス幅調整（ステップＳ７〜Ｓ１０）の３つのフェーズによって、記録ストラテジを調整する。【００４８】
図６から図８を参照して、ステップＳ１における基本記録ストラテジの設定について説明する。基本記録ストラテジの設定動作の説明の前に、ＨＤ  ＤＶＤ−Ｒに対して最適な記録ストラテジの特性について説明する。本願発明者は、製造メーカの異なる複数のＨＤ  ＤＶＤ−Ｒに対する最適な記録ストラテジ（例えば、ＰＲＳＮＲが２４程度となる記録ストラテジ）を検証し、３つの特性を発見した。【００４９】
１つ目の特性は、最適な記録ストラテジのトップパルス幅Ｔｔｏｐと、それに連なるミドルパルス幅Ｔｍｐ、及びラストパルス幅Ｔｌｐの比はどの媒体でもほぼ同率となることである。本実施の形態における光ディスク装置によれば、どの光ディスク１０に対しても最適な記録ストラテジのパルス幅は、Ｔｔｏｐ：Ｔｍｐ：Ｔｌｐ＝１．６５：１：１となった。【００５０】
２つ目の特性は、パルス幅が広い場合、出力レベルは低く、パルス幅が狭い場合、出力レベルは高くなることである。最適な記録ストラテジのトップパルス幅Ｔｔｏｐと出力レベル（記録パワＰｗ、バイアスパワＰｂ）との関係（検証結果）を図６に示す。図６を参照して、最適な記録ストラテジのトップパルス幅Ｔｔｏｐと、記録パワＰｗ、又はバイアスパワＰｂの関係は比例の関係にあることがわかる。図６に示される関係から式（３）及び式（４）が得られる。
記録パワＰｗ＝−７．１４１８×Ｔｔｏｐ＋１６．４８９          （３）
バイアスパワＰｂ＝−７．５５４３×Ｔｔｏｐ＋１１．９５８      （４）【００５１】
ＨＤ  ＤＶＤは基本的にどの媒体の記録膜も同じような材料を使用しており、熱の拡散に寄与する部分（主に反射膜）が異なっているだけである。このため、媒体毎に最適な記録ストラテジのパラメータは異なるが、上記２つの特性に従った記録ストラテジとなることが考えられる。昨今の高密度光ディスクを実現する記録材料というものは非常に洗練されたものになっており、良好な記録再生性能が得られるものはほとんど似た組成にならざるをえない。従って、今後出荷されるであろう媒体も熱の拡散特性だけが異なるものが多いと考えられ、式（３）及び式（４）のような近似が他の光ディスクに対して有効に機能すると考えられる。【００５２】
３つ目の特性は、１つ目の特性に付随するが、ミドルパルス幅Ｔｍｐとラストパルス幅Ｔｌｐが同じ大きさで構わないことである。これにより、ミドルパルス幅Ｔｍｐとラストパルス幅Ｔｌｐを区分して検証する必要がないことがわかる。従って、調整すべきパラメータはひとつ減ることになり、効率的に記録ストラテジを調整することができる。ミドルパルス幅Ｔｍｐとラストパルス幅Ｔｌｐは同値であるため、以下では、ミドルパルス幅Ｔｍｐに関する説明によって、ラストパルス幅Ｔｌｐに関する説明を割愛する。【００５３】
パルス幅の比率や、関係式（３）及び（４）の比例係数等のパラメータは、上述の値に限定されず、光ヘッド２０の特性（レーザ光の波長、ＮＡ（開口数）や、光ディスク１０における記録膜の材料等が異なれば、異なる値を示す。しかし、その特性（パルス幅の比率は一定、パルス幅と出力レベルの関係は比例）は上述の通りである。【００５４】
以上の特性を踏まえて、第１の実施の形態における初期値設定部３１は、記録ストラテジを設定する際の基準となる基本記録ストラテジを設定する（ステップＳ１）。【００５５】
ステップＳ１において、初期値設定部３１は、先ず、トップパルス幅Ｔｔｏｐ、ミドルパルス幅Ｔｍｐ、ラストパルス幅Ｔｌｐの比を所定の値（例えば１．６５：１：１）に固定した複数の記録ストラテジを用意する。詳細には、初期値設定部３１は、トップパルス幅Ｔｔｏｐを、１．０Ｔ（Ｔはチャネル周期）から１．８Ｔまで０．２Ｔステップで５通り用意する。初期値設定部３１は、式（３）及び式（４）を用いてトップパルス幅Ｔｔｏｐに応じた記録パワＰｗ及びバイアスパワＰｂを算出し、図７に示される複数の記録ストラテジ１００を設定する。この際、計算された記録パワＰｗ、バイアスパワＰｂが負の値を示す場合、０ｍＷが設定される。ここではトップパルス幅Ｔｔｏｐが１．６Ｔ、１．８ＴにおけるバイアスパワＰｂとして０ｍＷが設定される。光ディスク装置は、設定された５つの記録ストラテジ１００のレーザ光によって、光ディスク１０に対し試し記録再生を行う。試し記録再生によって、初期値設定部３１は、５つの記録ストラテジ１００のそれぞれに対するＰＲＳＮＲを取得する。このとき取得されたＰＲＳＮＲを図８に示す。初期値設定部３１は、ＰＲＳＮＲ、すなわち再生信号品質の最も高い基本記録ストラテジ（ここでは、トップパルス幅Ｔｔｏｐ＝１．４Ｔ、ミドルパルス幅Ｔｍｐ＝０．８５、記録パワＰｗ＝６．５、バイアスパワＰｂ＝１．４）を基本記録ストラテジとして設定する。【００５６】
ＨＤ  ＤＶＤではＰＲＭＬ検出系を使用する規格なので、基本記録ストラテジを決定するための再生信号品質としてＰＲＳＮＲが用いられたが、ＰＩエラーが用いられても構わない。又、基本記録ストラテジを設定するために用意した記録ストラテジ１００の数を５としたがこれに限らないのは言うまでもない。更に、光ディスク装置内温度が、使用時間とともに上昇し、同じ設定でも出力パワＰｗが減少してしまう場合がある。このような事態が懸念された場合、初期値設定部３１は、記録ストラテジの出力パワＰｗの校正を行っても良い。【００５７】
又、初期値設定部３１は、用意した記録ストラテジ１００の中に最適と思われる設定（例えばＰＲＳＮＲがピークを持たないなど）がなかった場合は、再度トップパルス幅Ｔｔｏｐの設定をやり直し、新たな記録ストラテジ１００を設定する。初期値設定部３１は、新たな記録ストラテジ１００から基本記録ストラテジを決定する。このような動作により、ほぼ確実に、最適ストラテジ近傍の記録ストラテジを基本記録ストラテジとして設定することができる。【００５８】
次に、出力レベル設定部３２は、初期値設定部３１において設定された基本記録ストラテジを用いて、より詳細に記録ストラテジの出力レベル（記録パワＰｗ及びバイアスパワＰｂ）の調整を行う（ステップＳ２〜Ｓ６）。出力レベル設定部３２は、基本記録ストラテジの記録パワＰｗ、バイアスパワＰｂを基準に、所定のステップで記録パワ、バイアスパワを変更して試し記録再生を行い、最も高品質の再生信号品質（ここではＰＲＳＮＲ）が得られるパワを選定する。【００５９】
詳細には、出力レベル設定部３２は、基本記録ストラテジのパルス幅（例えばトップパルス幅Ｔｔｏｐ＝１．４Ｔ、ミドルパルス幅Ｔｍｐ＝０．８５）に固定し、記録パワＰｗ＝６．５ｍＷを基準に、０．２ｍＷ毎に記録パワＰｗを変化させた複数の第１調整用記録ストラテジを設定する（ステップＳ２）。次に、光ディスク装置は、設定された第１調整用記録ストラテジのレーザ光によって、光ディスク１０に対し試し記録再生を行う（ステップＳ３）。試し記録再生によって、出力レベル設定部３２は、第１調整用レーザ光のそれぞれに対するＰＲＳＮＲを取得する（ステップＳ４）。このとき取得されたＰＲＳＮＲを図９に示す。出力レベル設定部３２は、ＰＲＳＮＲの最も高い記録パワＰｗ（＝５．５ｍＷ）を記録ストラテジの記録パワＰｗとして設定する（ステップＳ５）。【００６０】
次に、記録パワＰｗの調整が終了すると、出力レベル設定部３２は、バイアスパワＰｂの調整を行う（ステップＳ６Ｎｏ）。出力レベル設定部３２は、基本記録ストラテジのパルス幅（例えばトップパルス幅Ｔｔｏｐ＝１．４Ｔ、ミドルパルス幅Ｔｍｐ＝０．８５）に固定し、バイアスパワＰｂ＝１．４ｍＷを基準に、０．２ｍＷ毎にバイアスパワＰｂを変化させた複数の第１調整用記録ストラテジを設定する（ステップＳ２）。次に、光ディスク装置は、設定された第１調整用記録ストラテジのレーザ光によって、光ディスク１０に対し試し記録再生を行う（ステップＳ３）。試し記録再生によって、出力レベル設定部３２は、第１調整用レーザ光のそれぞれに対するＰＲＳＮＲを取得する（ステップＳ４）。このとき取得されたＰＲＳＮＲを図１０に示す。出力レベル設定部３２は、ＰＲＳＮＲの最も高いバイアスパワＰｗ（＝０．６ｍＷ）を記録ストラテジの記録パワＰｗとして設定する（ステップＳ５）。【００６１】
出力レベル（記録パワＰｗ及びバイアスパワＰｂ）の調整が終了すると（ステップＳ６Ｙｅｓ）、パルス幅設定部３３において、パルス幅調整が行われる（ステップＳ７〜Ｓ１０）。パルス幅設定部３３は、ステップＳ５において設定された出力レベル（例えば記録パワＰｗ＝５．５ｍＷ、バイアスパワＰｂ＝０．６ｍＷ）に固定し、パルス幅の比率をＴｔｏｐ：Ｔｍｐ：Ｔｌｐ＝１．６５：１：１に固定したまま、パルス幅を変化させた第２調整用記録ストラテジを設定する（ステップＳ７）。ここでは、基準記録ストラテジに設定されたトップパルス幅Ｔｔｏｐ＝１．４Ｔを基準に、０．０３Ｔ毎に変更された複数の第２調整用記録ストラテジが設定される。次に、光ディスク装置は、設定された第２調整用記録ストラテジのレーザ光によって、光ディスク１０に対し試し記録再生を行う（ステップＳ８）。試し記録再生によって、パルス幅設定部３３は、第２調整用レーザ光のそれぞれに対するＰＲＳＮＲを取得する（ステップＳ９）。このとき取得されたＰＲＳＮＲを図１１に示す。パルス幅設定部３３は、ＰＲＳＮＲの最も高いトップパルス幅Ｔｔｏｐ（＝１．４９Ｔ）を記録ストラテジのトップパルス幅Ｔｔｏｐとして設定する（ステップＳ１０）。尚、パルス幅の比率は１．６５：１：１に固定されているため、ミドルパルス幅Ｔｍｐ及びラストパルス幅Ｔｌｐは、トップパルス幅Ｔｔｏｐに基づき一意に決定される。【００６２】
以上のように、光ディスク１０に対して光ディスク装置が使用するレーザ光の記録ストラテジが調整される。図１２に、本発明によって調整された記録ストラテジを示す。参考として、同じ光ディスク１０に対し、厳密な方法によってＰＲＳＮＲが最大となるように調整して得られた最適な記録ストラテジを示す。図１２に示されるように、本発明によって調整された記録ストラテジは、最適な記録ストラテジに近似した値となった。このように、本発明によれば、簡易な方法により、厳密に調整された最適記録ストラテジに近似した良好な記録条件を得ることができる。図示しないが、他の製造メーカによる光ディスクにおいても同様な結果が得られた。従って、本発明によれば、ＰＲＭＬ検出を利用する光ディスクに対し、簡易かつ高精度に記録条件を設定できる。【００６３】
参考として図１３に、ステップＳ７〜Ｓ１０のパルス幅調整動作を、ステップＳ２〜Ｓ６の出力レベル調整動作の前に実行したときの再生信号品質の変化を示す。この場合、パルス幅設定部３３は、基本記録ストラテジの記録パワＰｗ及びバイアスパワＰｂに固定して第２調整用記録ストラテジを設定する。図１３に示すように、パルス幅の比率を固定してトップパルス幅Ｔｔｏｐを変化させてもＰＲＳＮＲは、ほぼ一定の値を示し、最適なパルス幅を決定することが困難となる。このため、パルス幅調整より前に出力レベル調整が実行されることが好ましい。ただし、記録パワＰｗ調整と、バイアスパワＰｂ調整の実行順は、逆でも構わない。【００６４】
更に、精度良く記録条件（記録ストラテジ）を調整するために、ステップＳ１０の後に再度記録パワＰｗ、及びバイアスパワＰｂの調整を行っても良い（図１４、ステップＳ１１〜Ａ１５）。【００６５】
この場合、出力レベル設定部３２は、パルス幅設定部３３で設定されたパルス幅（例えばトップパルス幅Ｔｔｏｐ＝１．４９Ｔ、ミドルパルス幅Ｔｍｐ＝０．９Ｔ、ラストパルス幅Ｔｌｐ＝０．９Ｔ）に固定して、記録パワＰｗ＝５．７ｍＷを基準に所定のステップで記録パワＰｗを変化させた複数の第３調整用記録ストラテジを設定する（ステップＳ１１）。次に、光ディスク装置は、設定された第３調整用記録ストラテジのレーザ光によって光ディスク１０に対し、試し記録再生を行う（ステップＳ１２）。試し記録再生によって、出力レベル設定部３２は、第３調整用レーザ光のそれぞれに対するＰＲＳＮＲを取得する（ステップＳ１３）。出力レベル設定部３２は、取得したＰＲＳＮＲのうち最も高いＰＲＳＮＲに対応する記録パワＰｗ（＝５．６ｍＷ）を記録ストラテジの記録パワＰｗとして設定する（ステップＳ１５）。記録パワＰｗの調整が終了すると、出力レベル設定部３２は、バイアスパワＰｂの調整を行う（ステップＳ１５Ｎｏ）。出力レベル設定部３２は、同様に、パルス幅を固定して、バイアスパワＰｂ＝０．６ｍＷを基準に所定のステップでバイアスパワＰｂを変化させた複数の第３調整用記録ストラテジを設定する（ステップＳ１１）。次に、光ディスク装置は、設定された第３調整用記録ストラテジのレーザ光によって、光ディスク１０に対し試し記録再生を行う（ステップＳ１２）。試し記録再生によって、出力レベル設定部３２は、第３調整用レーザ光のそれぞれに対するＰＲＳＮＲを取得する（ステップＳ１３）。出力レベル設定部３２は、取得したＰＲＳＮＲのうち最も高いＰＲＳＮＲに対応するバイアスパワＰｗ（＝０．７ｍＷ）を記録ストラテジの記録パワＰｗとして設定する（ステップＳ１４）。【００６６】
以上の調整によって得られた記録ストラテジを図１５（ａ）、（ｂ）に示す。図１５（ａ）は、ステップＳ１〜Ｓ１０までの処理によって調整された記録ストラテジを示し、図１５（ｃ）は、ステップＳ１〜Ｓ１５までの処理によって調整された記録ストラテジである。両者を比較してわかるように、出力レベルを再調整する方法によって、どの媒体に対してもＰＲＳＮＲ、すなわち再生信号品質は向上している。このように、出力レベル調整を再度行うことで更に、ＨＤ  ＤＶＤに対する記録再生に最適な記録条件を設定することができる。より最適な記録条件を得たい場合、パルス幅調整後に再度出力レベルを調整する方法を選択することが好適である。上述の方法のうちどちらを採用するかは、調整にかかる時間の制約と調整精度の兼ね合いでドライブ設計者が判断すると良い。【００６７】
又、図１５を参照して、本発明によれば、どのような媒体（製造メーカが異なる光ディスク）に対しても最適な記録条件を設定することができる。【００６８】
２．第２の実施の形態
第２の実施の形態における光ディスク装置は、予め、１つ又は複数の基本記録ストラテジを保持し、これを利用して挿入された光ディスク１０に最適な記録ストラテジを設定する。第２の実施の形態における光ディスク装置において、初期値設定部３１を除いた他の構成及び動作は、第１の実施の形態と同じであるので、以下では初期値設定部３１の動作のみを説明する。【００６９】
第１の実施の形態における光ディスク装置では、どのような媒体の光ディスクに対しても最適な記録ストラテジを調整可能である。このため、新しく開発された光ディスクに対しても有効に機能することができる。一方、設計思想によっては、現存する光ディスクのみに対し、最適な記録条件を調整できれば良い光ディスク装置もある。第２の実施の形態では、使用対象となる光ディスクを絞り込み、その光ディスクに対応する基本記録ストラテジを予め用意しておくことで、基本記録ストラテジ設定処理の時間を短縮する。【００７０】
詳細には、例えば、媒体Ａ、Ｂ、Ｃの３種類の光ディスク１０に対し、２つの基本記録ストラテジが用意される。ここでは、媒体Ａと媒体Ｂ向けの基本記録ストラテジ（例えば記録パワＰｗ＝５．１ｍＷ、バイアスパワＰｂ＝０．０ｍＷ、トップパルス幅Ｔｔｏｐ＝１．６Ｔ、ミドルパルス幅Ｔｍｐ＝０．９７）と、媒体Ｃ向けの基本記録ストラテジ（例えば記録パワＰｗ＝８．６ｍＷ、バイアスパワＰｂ＝３．６ｍＷ、トップパルス幅Ｔｔｏｐ＝１．１Ｔ、ミドルパルス幅Ｔｍｐ＝０．６７）が用意される。本例では、媒体Ａと媒体Ｂとに対する最適記録ストラテジが似ているため、同じ基本記録ストラテジが設定される。媒体毎に異なる基本記録ストラテジでも構わないが、パラメータで共通するところが多い場合、同じ基本記録ストラテジを利用することが好ましい。基本的には光ディスク装置の出荷時点で存在する媒体を調べ、いくつかの記録ストラテジを用意しておけばよい。【００７１】
本実施の形態における初期値設定部３１は、ステップＳ１において、用意された２種類の基本記録ストラテジに関して試し記録再生し、どちらか良い性能を示すほうを調整に利用する基本記録ストラテジに設定する。ステップＳ２以降の処理は第１の実施の形態と同様なので説明は割愛する。【００７２】
このように、第２の実施の形態における光ディスク装置によれば、特定の光ディスクに対して短時間に、基本記録ストラテジを設定し、最適な記録条件を設定することができる。又、現在の高密度光ディスクに対する最適な記録ストラテジは、媒体と光ヘッドの量産ばらつきで微妙に異なる。このため、上述のような記録ストラテジの調整により、記録再生の信頼性が向上する。【００７３】
ここで、用意される基本記録ストラテジは１つでも構わない。この場合、初期値設定部３１を光ディスク装置に設けなくても良い（ステップＳ１を省略しても良い）。このような光ディスク装置は、挿入される光ディスクによっては調整できない可能性も高いが、特定の光ディスク１０に対しては非常に高速に記録条件を調整できる利点がある。【００７４】
又、第１の実施の形態と第２の実施の形態を組み合わせても構わない。この場合、初期値設定部３１は、第１の実施の形態による調整方法と第２の実施の形態による調整方法とを選択するための再生信号品質の閾値を備えることが好ましい。初期値設定部３１は、通常、第２の実施の形態のように用意された基本記録ストラテジから、使用する基本記録ストラテジを選択する。この際、用意された基本記録ストラテジに対する再生信号品質が所定の閾値より低い場合、初期値設定部３１は第１の実施の形態のように基本記録ストラテジを設定し記録条件を調整する。このような光ディスク装置によれば、特定の光ディスクが挿入された場合は、第１の実施の形態より短時間に記録条件を調整でき、その他の光ディスクが挿入された場合は、第２の実施の形態より精度良く記録条件を調整できる。【００７５】
３．第３の実施の形態
第３の実施の形態における光ディスク装置は、光ディスク１０に書き込まれた記録ストラテジを用いて、基本記録ストラテジを設定する初期値設定部３１を備える。第３の実施の形態における光ディスク装置において、初期値設定部３１を除いた他の構成及び動作は、第１の実施の形態と同じであるので、以下では初期値設定部３１の動作のみを説明する。【００７６】
一般的な光ディスクは、情報管理領域を媒体内に持っており、その中に推奨の記録ストラテジを情報として持っていることが多い。しかしながら、この推奨記録ストラテジは、実際の光ディスク装置に搭載された光ヘッドとは異なるテスターヘッドで検討された値である。このため、この推奨記録ストラテジをそのままレーザ光の記録ストラテジとして利用できないのが現状である。第３の実施の形態における初期値設定部３１は、ステップＳ１において、光ディスク１０に記録された推奨記録ストラテジを利用して、基本記録ストラテジを設定する。例えば、初期値設定部３１は、推奨記録ストラテジのトップパルス幅Ｔｔｏｐから１．６５を除算し、ミドルパルス幅Ｔｍｐ幅及びラストパルス幅Ｔｌｐを算出して、基本記録ストラテジとして設定する。もちろん推奨記録ストラテジのミドルパルス幅Ｔｍｐ幅の方が利用されて基本記録ストラテジとして設定されても構わない。【００７７】
本発明によって調整される記録ストラテジは、ｍＴ（ｍは２以上の自然数）の記録マークに対してｍ−１個のパルスを有するものが好適であるが、ｎ−２個（ｎは３以上の自然数）のパルスを有するものでも構わない。又、本発明による光ディスク装置は、変調符号としてＨＤ  ＤＶＤで採用されているＥＴＭ（Eight to Twelve Modulation）でも、その他の変調符号でも同様に使用できる。その他の変調符号を利用する場合、例えば、最短データ長がｎＴとなっても構わない。【００７８】
以上、本発明の実施の形態を詳述してきたが、具体的な構成は上記実施の形態に限られるものではなく、本発明の要旨を逸脱しない範囲の変更があっても本発明に含まれる。例えば、HD  DVDの他、ブルーレイを利用した光ディスク装置にも適用できる。又、本発明は波長４０５ｎｍ、ＮＡ０．６５に限定されることなく、あらゆる波長、およびＮＡに適応可能である。又、上記実施の形態ではＰＲ（１２２２１）というクラスを使用したがＰＲ（１２２１）など他のクラスでも同様に使用することができる。更に、再生信号品質を評価する他の方法としては、ダイレクトにエラーレートやＰＩエラーを指標として評価する方法もある。ＰＩエラーとは、ＥＣＣ（Ｅｒｒｏｒ  ｃｏｒｒｅｃｔｉｏｎ  ｃｏｄｅ）のインナー側のパリティによってエラーがあることが検出された行のトータル数を意味し、エラーレートと定性的にほぼ等しい意味で使用される。この場合、記録ストラテジ調整器３は、復調器４から入力されるＰＩエラーを利用して記録ストラテジの調整を行う（図示なし）。
【図１】
2008102600.tif 000005
【図２】
2008102600.tif 000006
【図３】
2008102600.tif 000007
【図４】
2008102600.tif 000008
【図５】
2008102600.tif 000009
【図６】
2008102600.tif 000010
【図７】
2008102600.tif 000011
【図８】
2008102600.tif 000012
【図９】
2008102600.tif 000013
【図１０】
2008102600.tif 000014
【図１１】
2008102600.tif 000015
【図１２】
2008102600.tif 000016
【図１３】
2008102600.tif 000017
【図１４】
2008102600.tif 000018
【図１５】
2008102600.tif 000019
【図１６】
2008102600.tif 000020
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
パルストレイン型の記録ストラテジのレーザ光によって、光情報記録媒体に情報を記録する光ディスク装置において、前記記録ストラテジを調整する方法であって、
記録ストラテジのパルス幅及び出力レベルのそれぞれの初期値を、基本記録ストラテジとして設定するステップと、
前記基本記録ストラテジの出力レベルを変化させて出力した複数の第１調整用レーザ光によって前記記録ストラテジの出力レベルを調整するステップと、
前記調整された出力レベルに固定し、前記基本記録ストラテジのパルス幅を変化させて出力した複数の第２調整用レーザ光によって前記記録ストラテジのパルス幅を調整するステップと、
を具備し、
前記記録ストラテジは、第１パルスと第２パルスとを有し、
前記基本記録ストラテジを設定するステップは、前記基本記録ストラテジとして、前記第１パルスの第１パルス幅、前記第２パルスの第２パルス幅、前記記録ストラテジの出力レベルのそれぞれの初期値を設定するステップを備え、
前記記録ストラテジの出力レベルを調整するステップは、
前記基本記録ストラテジの出力レベルを変化させて複数の第１調整用レーザ光を出力するステップと、
前記複数の第１調整用レーザ光によって、前記光情報記録媒体から複数の第１再生信号品質を取得するステップと、
前記複数の第１再生信号品質のうち、最も良好な再生信号品質に対応する出力レベルを前記記録ストラテジの出力レベルとして設定するステップとを備え、
前記記録ストラテジのパルス幅を調整するステップは、
前記設定された出力レベルに前記記録ストラテジの出力レベルを固定し、前記第１パルス幅と前記第２パルス幅の比率を前記基本記録ストラテジに設定された比率に固定しながら、前記第１パルス幅及び前記第２パルス幅を変化させた複数の第２調整用レーザ光を出力するステップと、
前記複数の第２調整用レーザ光によって、前記光情報記録媒体から複数の第２再生信号品質を取得するステップと、
前記複数の第２再生信号品質のうち、最も良好な再生信号品質に対応する第１パルス幅と第２パルス幅を、前記記録ストラテジの第１パルス幅と第２パルス幅として設定するステップとを備える
記録ストラテジ調整方法。
【請求項２】
（削除）
【請求項３】
請求の範囲１に記載の記録条件調整方法において、
前記第２パルス幅の初期値及び前記出力レベルの初期値は、前記第１パルス幅の初期値に応じて一意に決まる
記録条件調整方法。
【請求項４】
請求の範囲３に記載の記録条件調整方法において、
前記第１パルスは前記記録ストラテジにおけるトップパルスであり、
前記第２パルスは、前記トップパルスの時間的に後続する他のパルスである
記録条件調整方法。
【請求項５】
請求の範囲１から４いずれか１項に記載の記録条件調整方法において、
前記基本記録ストラテジを設定するステップは、前記第１パルス幅と前記第２パルス幅との比率が一定の複数の記録ストラテジを用意するステップと、
前記複数の記録ストラテジに対応する複数の第３調整用レーザ光を出力するステップと、
前記複数の第３調整用レーザ光によって、光情報記録媒体から複数の第３再生信号品質を取得するステップと、
前記複数の第３再生信号品質のうち、最も良好な再生信号品質に対応する記録ストラテジを前記基本記録ストラテジとして設定するステップと、
を備える記録条件調整方法。
【請求項６】
請求の範囲３又は４に記載の記録条件調整方法において、
前記基本記録ストラテジを設定するステップは、前記光情報記録媒体に予め記録された記録ストラテジを取得するステップと、
前記取得した記録ストラテジに設定された第１パルス幅を初期値として、前記基本記録ストラテジを設定するステップと、
を備える記録条件調整方法。
【請求項７】
請求の範囲３から６いずれか１項に記載の記録条件調整方法において、
前記出力レベルの初期値と前記第１パルス幅の初期値とは比例係数が負である比例関係にある
記録条件調整方法。
【請求項８】
請求の範囲１から７いずれか１項に記載の記録条件調整方法において、
前記設定された第１パルス幅と第２パルス幅に固定し、出力レベルを変化させた複数の第４調整用レーザ光を出力するステップと、
前記複数の第４調整用レーザ光によって、前記光記録媒体から複数の第４再生信号品質を取得するステップと、
前記複数の第４再生信号品質のうち、最も良好な再生信号品質に対応する出力レベルを前記記録ストラテジの出力レベルとして設定するステップと、
を更に具備する記録条件調整方法。
【請求項９】
請求の範囲１から８いずれか１項に記載の記録条件調整方法において、
前記光情報記録媒体には、前記レーザ光に応じて形成されるマークによって前記情報が記録され、
前記マークのマーク長がｎＴである場合、前記記録ストラテジはｎ−１個のパルス群で構成され、
前記Ｔは、チャネルクロックの周期であり、前記ｎは２以上の自然数である
記録条件調整方法。
【請求項１０】
パルストレイン型の記録ストラテジのレーザ光によって光情報記録媒体に情報を記録する光ディスク装置であって、
基本記録ストラテジとして、記録ストラテジのパルス幅及び出力レベルの初期値を設定する初期値設定部と、
前記基本記録ストラテジの出力レベルを変化させて出力した複数の第１調整用レーザ光によって、前記記録ストラテジの出力レベルを調整する出力レベル設定部と、
前記初期値設定部において設定された出力レベルに固定し、前記基本記録ストラテジのパルス幅を変化させて出力した複数の第２調整用レーザ光によって、前記記録ストラテジの出力レベルを調整するパルス幅設定部と、
を具備し、
前記記録ストラテジは、第１パルスと第２パルスとを有し、
前記初期値設定部は、前記基本記録ストラテジとして、前記第１パルスの第１パルス幅、前記第２パルスの第２パルス幅、前記記録ストラテジの出力レベルのそれぞれの初期値を設定し、
前記出力レベル設定部は、前記基本記録ストラテジの出力レベルを変化させて複数の第１調整用レーザ光を出力し、前記複数の第１調整用レーザ光によって前記光情報記録媒体から複数の第１再生信号品質を取得し、前記複数の第１再生信号品質のうち、最も良好な再生信号品質に対応する出力レベルを前記記録ストラテジの出力レベルとして設定し、
前記パルス幅設定部は、前記出力レベル設定部において設定された出力レベルに固定し、前記第１パルス幅と前記第２パルス幅の比率を前記基本記録ストラテジに設定された比率に固定しながら、前記第１パルス幅及び前記第２パルス幅を変化させて複数の第２調整用レーザ光を出力し、前記第２調整用レーザ光によって前記光情報記録媒体から複数の第２再生信号品質を取得し、前記複数の第２再生信号品質のうち、最も良好な再生信号品質に対応する第１パルス幅と第２パルス幅を、前記記録ストラテジの第１パルス幅と第２パルス幅として設定する
光ディスク装置。
【請求項１１】
（削除）
【請求項１２】
請求の範囲１０に記載の光ディスク装置において、
前記第２パルス幅の初期値及び前記出力レベルの初期値は、前記第１パルス幅の初期値に応じて一意に決まる
光ディスク装置。
【請求項１３】
請求の範囲１２に記載の光ディスク装置において、
前記第１パルスは前記記録ストラテジにおけるトップパルスであり、
前記第２パルスは、前記トップパルスの時間的に後続する他のパルスである
光ディスク装置。
【請求項１４】
請求の範囲１０から１３いずれか１項に記載の光ディスク装置において、
前記初期値設定部は、前記第１パルス幅と前記第２パルス幅との比率が一定の複数の記録ストラテジに対応する複数の第３調整用レーザ光によって、光情報記録媒体から複数の第３再生信号品質を取得し、前記複数の第３再生信号品質のうち、最も良好な再生信号品質に対応する記録ストラテジを前記基本記録ストラテジとして設定する
光ディスク装置。
【請求項１５】
請求の範囲１２又は１３に記載の光ディスク装置において、
前記初期値設定部は、前記光情報記録媒体に予め記録された記録ストラテジに設定された第１パルス幅を初期値として、前記基本記録ストラテジを設定する
光ディスク装置。
【請求項１６】
請求の範囲１２から１５いずれか１項に記載の光ディスク装置において、
前記出力レベルの初期値と前記第１パルス幅の初期値とは比例係数が負である比例関係にある
光ディスク装置。
【請求項１７】
請求の範囲１２から１６いずれか１項に記載の光ディスク装置において、
前記出力レベル設定部は、前記パルス幅設定部において設定された第１パルス幅と第２パルス幅に固定し、出力レベルを変化させた複数の第４調整用レーザ光を出力し、前記複数の第４調整用レーザ光によって、前記光記録媒体から複数の第４再生信号品質を取得し、前記複数の第４再生信号品質のうち、最も良好な再生信号品質に対応する出力レベルを前記記録ストラテジの出力レベルとして設定する
光ディスク装置。
【請求項１８】
請求の範囲１０から１７いずれか１項に記載の光ディスク装置において、
前記光情報記録媒体には、前記レーザ光に応じて形成されるマークによって前記情報が記録され、
前記マークのマーク長がｎＴである場合、前記記録ストラテジはｎ−１個のパルス群で構成され、
前記Ｔは、チャネルクロックの周期であり、前記ｎは２以上の自然数である
光ディスク装置。
【国際調査報告】
2008102600.tif 000021
2008102600.tif 000022